(57)【特許請求の範囲】
【請求項１】
動画撮影が可能なディジタルカメラを含む携帯電話機であって、動画撮影機能の起動時に音声取込み方向のキー選択要求を行う手段と、各々特性の異なる第１及び第２のフィルタと、前記キー選択要求に対する外部指示に応じて前記第１及び第２のフィルタを切替える手段とを有することを特徴とする携帯電話機。
【請求項２】
前記第１のフィルタは、高音域のレベル劣化が大きい特性のフィルタであり、
前記第２のフィルタは、高音域のレベル劣化が小さい特性のフィルタであり、  前記キー選択要求に対する外部指示に応じてマイク背面側からの音声取込みの場合に前記第２のフィルタを選択することを特徴とする請求項１記載の携帯電話機。
【請求項３】
動画撮影が可能なディジタルカメラを含む携帯電話機であって、
動画撮影動作開始からある一定の送話レベルをモニタする手段と、そのモニタ結果と予め設定した基準レベル値とを比較する比較手段と、各々特性の異なる第１及び第２のフィルタと、前記比較手段の比較結果に応じて前記第１及び第２のフィルタを切替える手段とを有し、
前記基準レベル値は、マイク正面側からの取込んだ音声レベルに相当する送話レベルに設定し、マイク背面側から取込んだ音声レベル以上となることを特徴とする携帯電話機。
【請求項４】
前記第１のフィルタは、高音域のレベル劣化が大きい特性のフィルタであり、
前記第２のフィルタは、高音域のレベル劣化が小さい特性のフィルタであり、  前記比較手段の比較結果が前記基準レベル値よりも大きいレベルの時に前記第１のフィルタを選択し、前記基準レベル値より小さいレベルの時に前記第２のフィルタを選択することを特徴とする請求項３記載の携帯電話機。
【請求項５】
動画撮影が可能なディジタルカメラを含む携帯電話機の音声取込み方法であって、動画撮影機能の起動時に音声取込み方向のキー選択要求を行うステップと、前記キー選択要求に対する外部指示に応じて各々特性の異なる第１及び第２のフィルタを切替えるステップとを有することを特徴とする音声取込み方法。
【請求項６】
前記第１のフィルタは、高音域のレベル劣化が大きい特性のフィルタであり、
前記第２のフィルタは、高音域のレベル劣化が小さい特性のフィルタであり、  前記キー選択要求に対する外部指示に応じてマイク背面側からの音声取込みの場合に前記第２のフィルタを選択することを特徴とする請求項５記載の音声取込み方法。
【請求項７】
動画撮影が可能なディジタルカメラを含む携帯電話機の音声取込み方法であって、
動画撮影動作開始からある一定の送話レベルをモニタするステップと、そのモニタ結果と予め設定した基準レベル値とを比較するステップと、前記比較手段の比較結果に応じて各々特性の異なる第１及び第２のフィルタを切替えるステップとを有し、
前記基準レベル値は、マイク正面側からの取込んだ音声レベルに相当する送話レベルに設定し、マイク背面側から取込んだ音声レベル以上となることを特徴とする音声取込み方法。
【請求項８】
前記第１のフィルタは、高音域のレベル劣化が大きい特性のフィルタであり、
前記第２のフィルタは、高音域のレベル劣化が小さい特性のフィルタであり、  前記比較手段の比較結果が前記基準レベル値よりも大きいレベルの時に前記第１のフィルタを選択し、前記基準レベル値より小さいレベルの時に前記第２のフィルタを選択することを特徴とする請求項７記載の音声取込み方法。
【発明の詳細な説明】
【０００１】
【発明の属する技術分野】
本発明は携帯電話機及びそれに用いる音声取込み方法に関し、特に動画撮影機能付きの携帯電話機における音声の取込み方法に関する。
【０００２】
【従来の技術】
近年、携帯電話機においては、静止画像を撮影するためにディジタルカメラが付加された端末が実現され、そのディジタルカメラで撮影した画像を電子メールにて転送することも行われている。また、この携帯電話機においては、ディジタルカメラを用いて動画撮影を可能とするための動画撮影機能を付加した端末も現れている。
【０００３】
撮影用のディジタルカメラは、音声入力用のマイクが設置されている設置面を基準にすると、その設置面と同一面側に設ける例、設置面の裏面側に設ける例等がある。いずれの場合にも、動画撮影時に取り込む音声はマイクによって集音されている。
【０００４】
【発明が解決しようとする課題】
しかしながら、上述した従来の携帯電話機では、ディジタルカメラがマイクの設置面の裏面側に設けられている場合、撮影対象者からの音声をマイク背面側から集音する状態となる。
【０００５】
撮影者の音声は通常の通話時と同様にマイク正面から集音されるため、所要の周波数特性を得ることができるが、音声がマイク背面側から集音される場合、無指向性マイクを使用しても、マイク背面側の携帯電話機ケースの影響等から、特に２ｋＨｚ以上のマイク出力レベルが劣化してしまうという現象が発生する。
【０００６】
このため、動画撮影時の音声を携帯電話機から再生した場合、マイク正面から集音した音声に比べ、マイク背面側から集音した音声は、音質が劣化してしまうことが考えられる。
【０００７】
そこで、本発明の目的は上記の問題点を解消し、マイク背面側から取込んだ際に発生する２ｋＨｚ以上のレベル劣化に対して補正を行うことができ、マイク正面側からの音声とマイク背面側からの音声との特性差を低減させることができる携帯電話機及びそれに用いる音声取込み方法を提供することにある。
【０００８】
【課題を解決するための手段】
本発明による携帯電話機は、動画撮影が可能なディジタルカメラを含む携帯電話機であって、動画撮影機能の起動時に音声取込み方向のキー選択要求を行う手段と、各々特性の異なる第１及び第２のフィルタと、前記キー選択要求に対する外部指示に応じて前記第１及び第２のフィルタを切替える手段とを備えている。
【０００９】
本発明による音声取込み方法は、動画撮影が可能なディジタルカメラを含む携帯電話機の音声取込み方法であって、動画撮影機能の起動時に音声取込み方向のキー選択要求を行うステップと、前記キー選択要求に対する外部指示に応じて各々特性の異なる第１及び第２のフィルタを切替えるステップとを備えている。
【００１０】
すなわち、本発明の携帯電話機は、動画撮影機能が付加されている端末において、動画撮影を行う際に、取込む音声の方向がマイク正面側であるか、マイク背面側であるかに応じて送話フィルタを切替え、音質及び送話レベルの劣化を低減させる制御を行うことを特徴としている。
【００１１】
より具体的に説明すると、本発明の携帯電話機では、動画撮影動作時にキー選択設定を行い、動画撮影時に取込む音声がマイク正面側からの音声（撮影者からの音声）であるのか、マイク背面側からの音声（撮影対象者）であるのかの選択を行う。
【００１２】
これによって、マイク正面側からの音声の場合には、通常通話時に使用する高音域を除去した特性を持つフィルタを使用し、マイク背面側からの音声の場合には、高音帯域での減衰を低減した広帯域のフィルタ特性を有するフィルタに切替えることで、マイク背面側から取込んだ時に発生する２ｋＨｚ以上のレベル劣化を補正することが可能となり、マイク正面側からの音声とマイク背面側からの音声との特性差を低減させることが可能となる。
【００１３】
その他、本発明の携帯電話機では、動画撮影開始から一定の時間帯において、取込んだ音声のレベルをモニタし、そのレベルを予め設定したマイク正面側から取込んだ場合の音声レベルに相当する基準レベル値と比較し、基準レベル値以下であればマイク背面側からの音声と判断し、高音帯域の減衰を低減した広帯域のフィルタ特性を有するフィルタに切替える。
【００１４】
これによって、上記の場合と同様に、音声をマイク背面側から取込んだ際に発生する２ｋＨｚ以上のレベル劣化に対して補正を行うことが可能となり、マイク正面側からの音声とマイク背面側からの音声との特性差を低減させることが可能となる。
【００１５】
【発明の実施の形態】
次に、本発明の実施例について図面を参照して説明する。図１は本発明の一実施例による携帯電話機の構成を示すブロック図である。図１において、本発明の一実施例による携帯電話機は動画撮影する際に音声を取込むためのマイク１と、マイク１の出力信号を増幅するマイクアンプ２と、音声帯域を通過させて帯域外の周波数成分を除去するフィルタ４と、撮影条件キー７の選択によってフィルタ４の切替え制御を行うフィルタ制御部３と、音声データ処理やディジタルカメラ６からの撮影画像処理、撮影条件キー７への制御を行う動画撮影制御部５とから構成されている。
【００１６】
フィルタ４は特性の異なる２個のフィルタ（Ａ）４ａ及びフィルタ（Ｂ）４ｂを備えており、フィルタ（Ａ）４ａは通常の音声通話をする際の音声帯域内のみを通過させ、その他の不要な周波数帯域を除去する。すなわち、フィルタ（Ａ）４ａは、図５に示すＡ特性のような低域、高域を減衰させる特性を有したフィルタである。フィルタ（Ｂ）４ｂは、図絵に示すＢ特性を有しており、フィルタ（Ａ）４ａに比べ、高音帯域での減衰量を低減し、広帯域のフィルタ特性を実現している。
【００１７】
撮影条件キー７は動画撮影時に音声の取込み方向を選択するキーであり、取込む音声方向がマイク正面側からか、マイク背面側からかをキー操作にて選択する。この操作は動画撮影機能の動作時に携帯者が手動で設定を行い、「マイク正面側からの取込み」、「マイク背面側からの取込み」の中から選択する。
【００１８】
図２は本発明の一実施例による携帯電話機の内部実装状態を示す図である。図２において、本発明の一実施例による携帯電話機は、ディジタルカメラ６を、一般的に、撮影者（携帯者）がフロント液晶モニタ２４を見ながら撮影を行うため、フロント液晶モニタ２４と逆面（マイク背面側）に実装している。
【００１９】
一方、マイク１は電話機能としての通話を考慮して、フロント液晶モニタ２４と同一面（ディジタルカメラ６とは逆面、つまりマイク正面側）に実装されている。動画撮影時の音声はマイク１で集音するため、撮影者（携帯者）が話す音声については、マイク正面側から集音するが、撮影対象者からの音声はマイク背面側からの集音となる。撮影条件キー７はマイク正面側、つまり携帯者自身の音声の取込みと、マイク背面側、つまり撮影対象者の音声の取込みとを選択するためのキーである。
【００２０】
フィルタ制御部３は撮影条件キー７の設定によって、マイク正面側からの音声取込み時にフィルタ（Ａ）４ａ、マイク背面側からの音声取込み時にフィルタ（Ｂ）４ｂを選択するように切替え制御を行う。
【００２１】
フィルタ４を通過した信号は動画撮影制御部５でＡ／Ｄ（アナログ／ディジタル）変換され、音データとして保存される。その後、音声付き動画は動画再生や動画メールとして、相手先の携帯電話機に送信される。
【００２２】
図３は本発明の一実施例による携帯電話機の動作を示すフローチャートであり、図４は本発明の一実施例による携帯電話機のマイク特性を示す図であり、図５は本発明の一実施例による携帯電話機のフィルタ特性を示す図であり、図６は本発明の一実施例による携帯電話機の総合送話特性を示す図である。これら図１〜図６を参照して本発明の一実施例による携帯電話機の動作について説明する。
【００２３】
本発明の一実施例による携帯電話機の動画撮影機能を動作させることで、携帯電話機背面に実装されたディジタルカメラ６にて撮影が開始される（図３ステップＳ１）。また、撮影中の映像はフロント液晶モニタ２４で携帯者がモニタ可能になるとともに、フロント液晶モニタ２４と同一面に実装されたマイク１で音声の取込み動作が行われる。
【００２４】
動画撮影時の音声はマイク１で集音するため、本実施例では、携帯者（撮影者）が音声をマイク正面側から集音するか、マイク背面側から集音するかを事前に選択するための撮影条件キー７を有しており、フロント液晶モニタ２４上でキー操作によって設定を行う（図３ステップＳ２）。
【００２５】
マイク１で集音した音声信号はマイクアンプ２で広帯域に増幅され、フィルタ制御部３に送出される。フィルタ制御部３では動画撮影開始時に設定した撮影条件キー７の結果に応じて、撮影者の音声を取込む場合にフィルタ４中のフィルタ（Ａ）４ａを、また撮影対象者からの音声を取込む場合にフィルタ４中のフィルタ（Ｂ）４ｂをそれぞれ選択する制御を行う。
【００２６】
動画を撮影しながら携帯者自らの音声を取込みたい場合には、動画撮影動作時に携帯電話機から選択要求のある撮影条件キー７を「マイク正面側からの取込み」に決定する。
【００２７】
フィルタ制御部３ではこの撮影条件キー７の設定情報によって、マイク正面側からの音声取込みであることを認識し、フィルタ（Ａ）４ａを通過させるようにフィルタ４の切替え制御を行う（図３ステップＳ３，Ｓ４）。
【００２８】
フィルタ（Ａ）４ａは通常の音声通話をする際の音声帯域内のみを通過させ、その他の不要な周波数帯域を除去する目的で、図５に示すＡ特性のような低域、高域を減衰させる特性を有したフィルタである。
【００２９】
マイク１の送話特性を図４に示す。本特性は携帯電話機のケース（下）２３にマイク１を実装させた時のマイク出力レベル特性であり、マイク正面側からの音信号を入力した場合、図４に示すＡ特性が得られる。
【００３０】
マイクアンプ２で増幅された信号はフィルタ制御部３によって切替えられたフィルタ（Ａ）４ａを通過する（図３ステップＳ５）。これによって、動画撮影制御部５に入力される音声特性は最終的に、フィルタ（Ａ）４ａの特性とマイク１でのＡ特性とを総合した特性、つまり図６に示すＡ特性にしたがった周波数特性の音声が動画撮影時に格納され、動画再生時や動画メール時に添付される音データ特性となる（図３ステップＳ６，Ｓ７）。
【００３１】
一方、撮影条件キー７にて「マイク背面側からの取込み」を選択した場合、フィルタ制御部３ではこの撮影条件キー７の設定情報によって、マイク背面側からの音声取込みであることを認識し、フィルタ（Ｂ）４ｂを通過させるようにフィルタ４の切替え制御を行う（図３ステップＳ３，Ｓ８）。
【００３２】
マイク背面側からのマイク特性は図４に示すＢ特性のようになる。一般的に、マイク背面側から音データを入力した場合、Ｂ特性に示す通り、特に２ｋＨｚ以上の周波数でマイク正面側からの音データの入力に比べて、マイク出力レベルが低下する。
【００３３】
フィルタ（Ｂ）４ｂは図５に示すＢ特性のフィルタ特性を有しており、マイク背面側からの音データ入力による２ｋＨｚ以上の出力レベル劣化分を補正するよう、フィルタ（Ａ）４ａの図５に示すＡ特性と比較して、高音帯域でのカットを低減した広帯域のフィルタ特性を有している。
【００３４】
マイクアンプ２で広帯域に増幅された信号はフィルタ制御部３によって切替えられたフィルタ（Ｂ）４ｂを通過する（図３ステップＳ１０）。これによって、動画撮影制御部５に入力される音声特性は最終的に、フィルタ（Ｂ）４ｂの特性とマイク１でのＢ特性とを総合した図６に示すＢ特性にしたがった周波数特性の音声が動画撮影時に格納され、動画再生時や動画メール時に添付される音データ特性となる（図３ステップＳ６，Ｓ７）。
【００３５】
上記によって、マイク背面側からの音声取込み時に発生する２ｋＨｚ以上での送話レベル劣化を通過するフィルタ特性で補正し、マイク正面側からの音声とマイク背面側からの音声との特性差を低減させることができる。
【００３６】
図７は本発明の他の実施例による携帯電話機の構成を示すブロック図である。図７において、本発明の他の実施例は撮影条件キー７の代わりに、送話レベル検出部８と比較部９と基準送話レベル値格納部１０とを設けた以外は図１に示す本発明の一実施例と同一の構成となっており、同一構成要素には同一符号を付してある。
【００３７】
本発明の一実施例による携帯電話機では、動画撮影動作時の設定要求に対して、撮影条件キー７のキー設定操作によって、「マイク正面側からの取込み」、「マイク背面側からの取込み」の選択を行い、後段の通過フィルタを切替えることで、マイク背面からの音特性劣化の補正を行っている。これに対し、本実施例では動画撮影時の音声レベルをモニタし、予め設定した基準レベルに対して大小の比較を行うことで、後段の通過フィルタを切替えて音声補正を行っている。
【００３８】
マイク１で集音した音声信号はマイクアンプ２で広帯域に増幅され、フィルタ４に送出される。フィルタ４は、本発明の一実施例と同様に、異なる特性を持つ２つのフィルタ（Ａ）４ａ及びフィルタ（Ｂ）４ｂを備えており、動画撮影開始時にファイル（Ａ）を使用する制御としている。
【００３９】
送話レベル検出部８はフィルタ（Ａ）４ａを通過した音声データに対して一定のタイミングでレベル検知を行う。比較部９では送話レベル検出部８からのデータと基準送話レベル値格納部１０に予め設定してある基準レベル値との比較を行い、その比較結果をフィルタ制御部３に送出する。フィルタ制御部３では比較部９の情報に応じて後段のフィルタ４を切替える制御を行う。
【００４０】
基準送話レベル値格納部１０に設定している基準レベル値は、携帯者（撮影者）がマイク正面側から音声を入力した場合に集音される送話レベル値と同等となる値に設定しておく。通常、マイク背面側から取込んだ送話レベルは、図４に示すＢ特性の通り、特に２ｋＨｚ以上においてレベルが劣化することや、撮影対象者と携帯電話機との距離が離れること等の理由によって、マイク正面側から携帯者（撮影者）が話す音声をマイクが集音する送話レベルよりも低くなると考えられる。したがって、マイク背面側からの送話レベルは、設定した基準レベル値以下となることを容易に予測することができる。
【００４１】
これによって、フィルタ制御部３は比較部９で基準レベル値以上と判断した場合にマイク正面側からの音声取込み状態と判断してフィルタ（Ａ）４ａを選択し、基準レベル値以下と判断した場合にマイク背面側からの音声取込み状態と判断してフィルタ（Ｂ）４ｂを選択する制御を行う。
【００４２】
図８は本発明の他の実施例による携帯電話機の動作を示すフローチャートであり、図９は図７の送話レベル検出部８の出力波形を示す図である。これら図７〜図９を参照して本発明の他の実施例による携帯電話機の動作について説明する。
【００４３】
本発明の他の実施例による携帯電話機の動画撮影機能が動作開始すると（図８ステップＳ１１）、マイク１にて音声の集音が行われる（図８ステップＳ１２）。マイク１にて集音された音声はマイクアンプ２で増幅され（図８ステップＳ１３）、初期設定されているフィルタ（Ａ）４ａを通過し（図８ステップＳ１４）、動画撮影制御部５にて音声信号のＡ／Ｄ変換、保存が行われる。
【００４４】
送話レベル検出部８は動画撮影制御部５に入力された信号をモニタし（図８ステップＳ１５）、予め設定した基準送話レベル値との比較を比較部９で行う（図８ステップＳ１６）。
【００４５】
図９に示すような送話レベル検出部８の出力波形を検出した場合、比較部９では動画撮影機能を開始してからＴ（ｓｅｃ）の時間内で送話レベル検出部８の出力波形と基準送話レベル値格納部１０に設定された基準レベル値との比較を行う。この場合、基準レベル値以上のレベルがＴ（ｓｅｃ）の間に検知されないため、比較部９では基準レベル値以下と判断し、フィルタ制御部３をフィルタ（Ｂ）４ｂに切替える制御を行う（図８ステップＳ２１）。
【００４６】
基準レベル値は携帯者（撮影者）がマイク正面側から音声を入力した場合に集音されるレベル値と同等になるように設定されているため、基準レベル値以下と判断された場合にはマイク背面側からの音声取込みと想定することができる。
【００４７】
本発明の一実施例で述べたように、フィルタ（Ｂ）４ｂは図５に示すＢ特性のフィルタ特性を有しており、マイク背面側からの音データ入力による２ｋＨｚ以上の出力レベル劣化分を補正するよう、フィルタ（Ａ）４ａの図５に示すＡ特性と比較して、高音帯域でのカットを低減した広帯域のフィルタ特性を有している。
【００４８】
動画撮影制御部５に入力される音声特性は最終的に、フィルタ（Ｂ）４ｂの特性とマイク１でのＢ特性とを総合した図６に示すＢ特性にしたがった周波数特性の音声が動画撮影時に格納され、動画再生時や動画メール時に添付される音データ特性となる（図８ステップＳ２２，Ｓ１９，Ｓ２０）。
【００４９】
また、Ｔ（ｓｅｃ）内に基準レベル値以上の送話レベルを検出した場合には、マイク正面側からの音声取込みと予測することができるので、フィルタ制御部３はフィルタ（Ａ）を選択し（図８ステップＳ１７）、動画撮影制御部５に入力される音声特性は最終的に、フィルタ（Ａ）４ａの特性とマイク１でのＡ特性とを総合した図６に示すＡ特性にしたがった周波数特性の音声が動画撮影時に格納され、動画再生時や動画メール時に添付される音データ特性となる（図８ステップＳ１８〜Ｓ２０）。
【００５０】
上記によって、マイク背面側からの音声取込み時に発生する２ｋＨｚ以上での送話レベル劣化を通過するフィルタ特性で補正し、マイク正面側からの音声とマイク背面側からの音声との特性差を低減させることができる。
【００５１】
このように、本発明では、動画撮影動作時にキー選択設定を行い、動画撮影時に取込む音声がマイク正面側からの音声（撮影者からの音声）であるのか、マイク背面側からの音声（撮影対象者）であるのかの選択を行い、マイク正面側からの音声の場合に通常通話時に使用する高音域を除去した特性を持つフィルタ（Ａ）４ａを使用し、マイク背面側からの音声の場合に高音帯域での減衰を低減した広帯域のフィルタ特性を有するフィルタ（Ｂ）４ｂに切替えることによって、マイク背面側から取込んだ時に発生する２ｋＨｚ以上のレベル劣化を補正することができ、マイク正面側からの音声とマイク背面側からの音声との特性差を低減させることができる。
【００５２】
また、本発明では、動画撮影開始から一定の時間帯において、取込んだ音声のレベルをモニタし、予め設定したマイク正面側から取込んだ場合の音声レベルに相当する基準レベル値との比較を行い、基準レベル値以下の場合にマイク背面側からの音声と判断し、高音帯域の減衰を低減した広帯域のフィルタ特性を有するフィルタ（Ｂ）４ｂに切替えることによって、マイク背面側から取込んだ際に発生する２ｋＨｚ以上のレベル劣化に対して補正を行うことができ、マイク正面側からの音声とマイク背面側からの音声との特性差を低減させることができる。
【００５３】
【発明の効果】
以上説明したように本発明は、動画撮影が可能なディジタルカメラを含む携帯電話機において、動画撮影機能の起動時に音声取込み方向のキー選択要求を行い、キー選択要求に対する外部指示に応じて各々特性の異なる第１及び第２のフィルタを切替えることによって、マイク背面側から取込んだ際に発生する２ｋＨｚ以上のレベル劣化に対して補正を行うことができ、マイク正面側からの音声とマイク背面側からの音声との特性差を低減させることができるという効果が得られる。
【図面の簡単な説明】
【図１】本発明の一実施例による携帯電話機の構成を示すブロック図である。
【図２】本発明の一実施例による携帯電話機の内部実装状態を示す図である。
【図３】本発明の一実施例による携帯電話機の動作を示すフローチャートである。
【図４】本発明の一実施例による携帯電話機のマイク特性を示す図である。
【図５】本発明の一実施例による携帯電話機のフィルタ特性を示す図である。
【図６】本発明の一実施例による携帯電話機の総合送話特性を示す図である。
【図７】本発明の他の実施例による携帯電話機の構成を示すブロック図である。
【図８】本発明の他の実施例による携帯電話機の動作を示すフローチャートである。
【図９】図７の送話レベル検出部の出力波形を示す図である。
【符号の説明】
１  マイク
２  マイクアンプ
３  フィルタ制御部
４  フィルタ
４ａ  フィルタＡ
４ｂ  フィルタＢ
５  動画撮影制御部
６  ディジタルカメラ
７  撮影条件キー
８  送話レベル検出部
９  比較部
１０  基準送話レベル値格納部
２１  アンテナ
２２  携帯電話機ケース（上）
２３  携帯電話機ケース（下）
２４  フロント液晶モニタ
【図１】
0003761492.tif 000002
【図２】
0003761492.tif 000003
【図３】
0003761492.tif 000004
【図４】
0003761492.tif 000005
【図５】
0003761492.tif 000006
【図６】
0003761492.tif 000007
【図７】
0003761492.tif 000008
【図８】
0003761492.tif 000009
【図９】
0003761492.tif 000010